(57)【要約】【課題】従来のゴルフクラブヘッドを備えるゴルフクラブに比べて確実に飛距離を向上させるゴルフクラブを提供する。【解決手段】ゴルフクラブ１０は、ゴルフクラブシャフト１２の後端部にグリップ１４を、先端部にゴルフクラブヘッド１６を有し、ゴルフクラブヘッド１６のフェース幅Ｌに対するフェース高さＨの比率（Ｈ／Ｌ）が０．５〜１．２の範囲にあり、ゴルフクラブシャフト１２の後端部を固定して先端部を振動させた時の１次共振周波数Ｆｂ１と、ゴルフクラブシャフト１２の先端部を固定して後端部を振動させた時の１次共振周波数Ｆｔ２との比率（Ｆｂ１／Ｆｔ１）が１．９以上である。あるいは、ゴルフクラブシャフト１２の後端部を固定して先端部を振動させた時の１次共振周波数Ｆｂ１と２次共振周波数Ｆｂ２との比率（Ｆｂ２／Ｆｂ１）が４．７以下である。【選択図】図２
2004261443.tif 000002
【特許請求の範囲】
【請求項１】
ゴルフクラブシャフトの後端部にグリップを、先端部にゴルフクラブヘッドを有するゴルフクラブであって、
前記ゴルフクラブヘッドのフェース幅Ｌに対するフェース高さＨの比率（Ｈ／Ｌ）が０．５〜１．２の範囲にあり、
前記ゴルフクラブシャフトの後端部を固定して先端部を振動させた時の１次共振周波数Ｆｂ１と、前記ゴルフクラブシャフトの先端部を固定して後端部を振動させた時の１次共振周波数Ｆｔ１との比率（Ｆｂ１／Ｆｔ１）が１．９以上であることを特徴とするゴルフクラブ。
【請求項２】
ゴルフクラブシャフトの後端部にグリップを、先端部にゴルフクラブヘッドを有するゴルフクラブであって、
前記ゴルフクラブヘッドのフェース幅Ｌに対するフェース高さＨの比率（Ｈ／Ｌ）が０．５〜１．２の範囲にあり、
前記ゴルフクラブシャフトの後端部を固定して先端部を振動させた時の１次共振周波数Ｆｂ１と２次共振周波数Ｆｂ２との比率（Ｆｂ２／Ｆｂ１）が４．７以下であることを特徴とするゴルフクラブ。
【発明の詳細な説明】
【０００１】
【発明の属する技術分野】
本発明は、ゴルフクラブシャフトの後端部にグリップを、先端部にゴルフクラブヘッドを有するゴルフクラブに関し、具体的には、打ち出されたゴルフボールの弾道を高弾道として、飛距離を大幅に向上することのできるゴルフクラブに関する。
【０００２】
【従来の技術】
ゴルフクラブ、特に、ドライバー等のウッド系のゴルフクラブは、打撃したゴルフボールを遠くに飛球させることが望まれている。
例えば、ゴルフクラブヘッドのフェース面にチタン合金を素材として用い、しかも、フェース面の肉厚を薄くし、また、フェース面の縁部を薄肉化して、フェース面を撓み易くすることで、ゴルフボールを打撃した時の反発特性を向上させてゴルフボールの飛距離の向上を図っている。また、打ち易さを備えた、体積が３００ｃｃを越える大きなゴルフクラブヘッドも提案されている。
【０００３】
このようなゴルフクラブヘッドについて、下記特許文献１〜４のような、ゴルフクラブヘッドのフェース面のフェース高さとフェース幅（フェース長さ）との関係を比率で規定したゴルフクラブヘッドが種々提案されている。
特許文献１は、ヘッド容積が２００ｃｃ以上で、フェース面の最大幅に対する最大高さの比率が０．６５以上１．０以下であるウッド系ゴルフクラブヘッドを開示している。
特許文献２は、フェース部の水平方向のフェース幅に対するフェース高さの比が０．６〜１．０である中空ゴルフクラブヘッドを開示している。
特許文献３は、フェース面の最大長さが９５ｍｍ以上で、フェース面の細長比が０．４５〜０．５５の範囲にあるドライバーのゴルフクラブヘッドを開示している。
また、特許文献４は、ゴルフクラブヘッドの体積が３６０ｍｌ以上で、フェース幅に対するフェース高さの比率を０．５以上１．０以下とした中空ゴルフクラブヘッドを開示している。
【０００４】
これらのゴルフクラブヘッドはいずれもゴルフクラブとして組み立てられ、ロフト角度通りに、あるいは、ライ角度通りに設置した場合のフェース面の縦横比を規定することで、耐久性を維持しつつ反発特性を向上させ、あるいは、打球を上がり易くし、ゴルフボールの飛距離を向上させることができるとされている。
【０００５】
【特許文献１】
特開２０００−１１６８２２号公報
【特許文献２】
特開２００１−９５９５５号公報
【特許文献３】
特開２００１−２５２３７８号公報
【特許文献４】
特開２００１−２８６５８５号公報
【０００６】
【発明が解決しようとする課題】
ところが、上記特許文献１〜４に開示されるゴルフクラブヘッドをゴルフクラブシャフトに装着してゴルフクラブとして作製しても、必ずしも、ゴルフボールの飛距離が向上するとはいえず、時には、飛距離の向上が殆ど得られない場合もあった。また、飛距離の向上が得られた場合でも数％に留まり、十分な飛距離の向上が得られるものではなかった。
【０００７】
そこで、本発明は、従来のゴルフクラブヘッドを備えるゴルフクラブに比べて確実に飛距離を向上させるゴルフクラブを提供することを目的とする。
【０００８】
【課題を解決するための手段】
上記目的を達成するために、本発明は、ゴルフクラブシャフトの後端部にグリップを、先端部にゴルフクラブヘッドを有するゴルフクラブであって、
前記ゴルフクラブヘッドのフェース幅Ｌに対するフェース高さＨの比率（Ｈ／Ｌ）が０．５〜１．２の範囲にあり、前記ゴルフクラブシャフトの後端部を固定して先端部を振動させた時の１次共振周波数Ｆｂ１と、前記ゴルフクラブシャフトの先端部を固定して後端部を振動させた時の１次共振周波数Ｆｔ１との比率（Ｆｂ１／Ｆｔ１）が１．９以上であることを特徴とするゴルフクラブを提供する。
【０００９】
また、本発明は、ゴルフクラブシャフトの後端部にグリップを、先端部にゴルフクラブヘッドを有するゴルフクラブであって、
前記ゴルフクラブヘッドのフェース幅Ｌに対するフェース高さＨの比率（Ｈ／Ｌ）が０．５〜１．２の範囲にあり、前記ゴルフクラブシャフトの後端部を固定して先端部を振動させた時の１次共振周波数Ｆｂ１と２次共振周波数Ｆｂ２との比率（Ｆｂ２／Ｆｂ１）が４．７以下であることを特徴とするゴルフクラブを提供する。
【００１０】
【発明の実施の形態】
以下、本発明のゴルフクラブについて、添付の図面に示される好適実施例を基に詳細に説明する。
【００１１】
図１は、本発明のゴルフクラブの一例であるウッド系のゴルフクラブ１０の概略の正面図である。
ゴルフクラブ１０は、ゴルフクラブシャフト１２の後端部にグリップ１４を、先端部にゴルフクラブヘッド１６を有する。
ここで、ゴルフクラブヘッド１６は、ゴルフボールを打撃するフェース部、クラウン部、サイド部およびソール部を備え、これらの部位に囲まれて中空部の形成された中空ゴルフクラブヘッドである。各部位は、チタン合金やステンレス合金等の各種金属合金材料、あるいは、炭素繊維強化樹脂材料によって構成されている。中空ゴルフクラブヘッドの他に、中空部分のない中実のゴルフクラブヘッドであってもよい。
【００１２】
ここで、ゴルフクラブヘッド１６のフェース面１８のフェース幅Ｌに対するフェース高さＨの比率（Ｈ／Ｌ）が０．５〜１．２の範囲にある。
図２は、ゴルフクラブ１０を通常のアドレスポジションに設置した状態のフェース面１８側から見た正面図である。
フェース高さＨは、図２に示すように、アドレスポジションに設置した状態においてフェース面１８の最も上方に位置する縁部Ａ２  からフェース面１８の最も下方に位置する縁部Ａ３  までの、基準面Ａ１  に対して垂直方向の成分の距離（図２中の上下方向の距離）をいい、フェース幅Ｌとは、フェース面１８の最もトウ側寄りに位置する縁部Ａ４  からフェース面１８の最もヒール側寄りに位置する縁部Ａ５  までの、基準面Ａ１  およびフェース面１８に対して平行な成分の距離（図２中の左右方向の距離）をいう。このように定義されるフェース高さＨをフェース幅Ｌで除した値である比率（Ｈ／Ｌ）がゴルフクラブヘッド１６において０．５〜１．２の範囲にある。比率（Ｈ／Ｌ）は、好ましくは、０．５５〜１．０、より好ましくは、０．５７〜０．８５である。
【００１３】
また、上記各縁部Ａ２  ，Ａ３  ，Ａ４  ，Ａ５  が判別困難な場合、図３に示すように、ゴルフクラブヘッド１６を通常のアドレスポジションに設置して、基準面Ａ１  からゴルフクラブヘッド１６のクラウン部の最も上方に位置する上端部Ａ６  までの、基準面Ａ１  に垂直方向の距離Ｈ’をフェース高さＨとして代用し、また、ゴルフクラブヘッド１６の最もトウ側に位置する端部Ａ７  から基準面Ａ１  に対して１６ｍｍ上方に位置するゴルフクラブヘッド１６のヒール側の位置Ａ８  までの、基準面Ａ１  およびフェース面１８に対して平行な成分の距離Ｌ’をフェース幅Ｌとして代用して、比率（Ｈ／Ｌ）を求めてもよい。
【００１４】
ここで、ゴルフクラブ１０を通常のアドレスポジションに設置するとは、ゴルフクラブヘッド１６をライ角度通りに設置し、かつ、図４（ａ）に示すゴルフクラブヘッド１６の平面図のように、シャフト軸Ｓとリーディングエッジ１６ａとが互いに平行になるように設置することをいう。ライ角度通りに設置とは、図２において、ソール面１６ｂのラウンドと基準面Ａ１  とのなす隙間がトウ側及びヒール側にて略等しくなる状態に設置することをいう。ソール面１６ｂのラウンドが不明瞭な場合は、フェース面１８に描かれる図示されないスコアラインと基準面Ａ１  とが平行な状態に設置してもよい。ソール面１６ｂのラウンドが不明瞭でかつスコアラインが直線状でない等により基準面Ａ１  との平行が判別できない場合は、ライ角度は、ライ角度（度）＝（１００−クラブ長さ（インチ））にて設定される。例えば、４４インチのクラブ長さであれば、ライ角度は１００−４４＝５６度になる。
【００１５】
ここで、クラブ長さは、社団法人日本ゴルフ用品協会が定める測定法により測定される。測定器としては、株式会社鴨下精衡所製のクラブ・メジャーＩＩが挙げられる。即ち、図２に示すように、ヒール側の端部を基点Ｐ１  とし、グリップエンドを終点Ｐ２  としたとき、これら基点Ｐ１  、終点Ｐ２  間の距離Ｃをクラブ長さとするのである。
アドレスポジションにおいて、リーディングエッジ１６ａの方向はフェース面１８が指す方向と直角な方向に設定される。図４（ａ）はリーディングエッジ１６ａが直線の場合である。また、図４（ｂ）に示すように、曲線のリーディングエッジ１６ａ’の場合、フェース面１８が指す方向と直角な方向を示す線Ｌにて方向が設定される。なお、リーディングエッジ１６ａ’は、ゴルフクラブヘッド１６が最も飛球線方向に張り出している箇所である。
【００１６】
上述のようにフェース面１８の方向を特定し、アドレスポジションを設定した状態で行うゴルフクラブヘッドの寸法測定は、昇峰企業社製の高爾夫球頭測度台、ゴルフギャレーヂ社製のゴルフクラブアングル測定器、ゴルフスミス社製のゴルフクラブゲージ等の測定器により可能である。このような測定器は公知のものであれば良く、本発明において特に限定されるものではない。
【００１７】
このようにして定義される比率（Ｈ／Ｌ）の値を０．５〜１．２の範囲に設定することで、ゴルフボールを打撃した時の反発特性が向上してゴルフボールの飛距離が向上する。この場合、後述する実施例にて示されるように、ゴルフクラブシャフトの単体特性との相乗効果によって、飛距離が一層向上する。
【００１８】
なお、ゴルフクラブヘッド１６のロフト角度は２〜１８度であり、また、ヘッド体積は２００ｃｃ以上であるのが好ましい。ロフト角度を２〜１８度とするのは、この範囲にロフト角度のあるゴルフクラブヘッドを備えるゴルフクラブは、ゴルフボールを遠くに飛球させることを目的としたゴルフクラブであり、この範囲にロフト角度がある場合、より効果的に飛距離の向上が達成される。
また、ヘッド体積を２００ｃｃ以上とすることによって、より効果的に反発特性を向上させることができる。ヘッド体積の上限については特に制限はないが、ゴルフクラブヘッドがゴルフボールの打撃に対する耐久性をある程度確保する必要性から、ヘッド体積の上限は７００ｃｃ程度である。
【００１９】
ゴルフクラブシャフト１２は、炭素繊維強化樹脂材料によって剛性分布が調整された中空状のシャフトである。ゴルフクラブシャフト１２は、ゴルフクラブシャフトの単体特性として、グリップ１４を装着する側の端部である後端部を固定し、ゴルフクラブヘッド１６を装着する側の端部である先端部を振動させた時の１次共振周波数Ｆｂ１と、ゴルフクラブシャフト１２の先端部を固定して後端部を振動させた時の１次共振周波数Ｆｔ１との比率（Ｆｂ１／Ｆｔ１）が１．９以上であるゴルフクラブシャフトの単体特性を有する。
【００２０】
比率（Ｆｂ１／Ｆｔ１）が１．９以上であるゴルフクラブシャフトをゴルフクラブに装着することによって、ゴルフボールの打ち出し直後の打ち出し角度を比較的大きくすることができ、特に、フェース面１８の比率（Ｈ／Ｌ）を０．５〜１．２として反発特性を向上させたゴルフクラブヘッドと組み合わせることで、後述する実施例に示されるように、極めて大きな飛距離の向上が可能となる。ここで、比率（Ｆｂ１／Ｆｔ１）の上限については特に制限はないが、ゴルフクラブシャフトの耐久性をある程度確保する必要性から、比率（Ｆｂ１／Ｆｔ１）の上限は３．２程度である。したがって、比率（Ｆｂ１／Ｆｔ１）の範囲は、１．９〜３．２であることが好ましい。また、打ち出し角度を上げかつゴルフボールの飛距離をより一層向上させる点で、上記範囲を２．０〜２．８とすることがより好ましい。
【００２１】
また、ゴルフクラブシャフト１２は、ゴルフクラブシャフトの単体特性として、比率（Ｆｂ１／Ｆｔ１）を１．９以上とする特性の替わりに、ゴルフクラブシャフト１２の後端部を固定し先端部を振動させた時の１次共振周波数Ｆｂ１と２次共振周波数Ｆｂ２との比率（Ｆｂ２／Ｆｂ１）を４．７以下とした単体特性を有してもよい。この場合においても、ゴルフボールの打ち出し直後の打ち出し角度を比較的大きくすることができ、特に、フェース面１８の比率（Ｈ／Ｌ）を０．５〜１．２として反発特性を向上させたゴルフクラブヘッドと組み合わせることで、後述する実施例に示されるように、極めて大きな飛距離の向上が可能となる。ここで、比率（Ｆｂ２／Ｆｂ１）の下限については特に制限はないが、ゴルフクラブシャフトの耐久性をある程度確保する必要性から、比率（Ｆｂ２／Ｆｂ１）の下限は２．２程度である。したがって、比率（Ｆｂ２／Ｆｂ１）の範囲は、２．２〜４．７であることが好ましい。また、打ち出し角度を上げかつゴルフボールの飛距離をより一層向上させる点で、上記範囲を２．９〜４．５５とすることがより好ましい。
【００２２】
このような比率（Ｆｂ１／Ｆｔ１）あるいは比率（Ｆｂ２／Ｆｂ１）は、例えば、以下の計測方法によって求めることができる。しかし、本発明においては、以下に示す計測方法によって規定されるものではない。
【００２３】
図５は、比率（Ｆｂ１／Ｆｔ１）、比率（Ｆｂ２／Ｆｂ１）を求めるシステムの一例である計測システム２０を示している。
計測システム２０は、ゴルフクラブ１０のグリップ１４を備える側のゴルフクラブシャフト１２の後端部あるいはゴルフクラブヘッド１６の装着されるゴルフクラブシャフト１２の先端部の一方の端部を固定して固定端とする固定治具２４と、他方の端部を自由端とし、自由端近傍に貼付された加速度ピックアップ２６と、加速度ピックアップ２６に接続されたチャージアンプ２８と、チャージアンプ２８に接続されたＦＦＴアナライザ３０と、ＦＦＴアナライザ３０にケーブルを介して接続されたコンピュータ３２とを有して構成される。図５では、ゴルフクラブシャフトの後端部を固定端とした場合が示されている。
【００２４】
固定治具２４によりゴルフクラブシャフト１２の端を固定して共振周波数を測定する際、固定治具２４によりゴルフクラブシャフト１２を固定する固定長さは２００ｍｍ以下、例えば１７８ｍｍとするのが好ましい。この範囲内に設定することにより、共振周波数の測定をより正確に行うことができる。また、固定長さの下限はゴルフクラブシャフト１２を固定可能とする長さであればよく、特に限定されるものではない。
また、固定長さは後端部を固定する場合と先端部を固定する場合とでは必ずしも同一の長さにしなくてもよい。但し、測定するゴルフクラブシャフトが複数の場合においては、後端部及び先端部の固定長さを同一の長さ又は概ね同一の長さに設定することが好ましい。例えば後端部の固定長さを１７８ｍｍ、先端部の固定長さを１２７ｍｍと設定した場合、測定する複数のゴルフクラブシャフト全てにおいて、後端部の固定長さを１７８ｍｍにして固定し、先端部を固定治具２４に固定する場合には、先端部の固定長さを１２７ｍｍにして固定することが好ましい。
上記概ね同一の長さとは、ゴルフクラブシャフト群における固定長さのばらつきは２ｍｍ以内、好ましくは１ｍｍ以内である。
【００２５】
また、固定長さとは、図６（ａ）に示すようにゴルフクラブシャフト１２の端面３４がゴルフクラブシャフト軸３６に対して垂直であれば、端面３４からチャック部２４ａまでの距離（Ｄａ）を表す。また、図６（ｂ）に示すように端面３４がゴルフクラブシャフト軸３６に対して垂直でない場合は、端面３４の最も張り出している位置から固定治具３４ａまでの距離（Ｄｂ）を表す。
チャック部２４ａによる固定は、ゴルフクラブシャフト１２を振動させても、がたつきがないように固定することが好ましい。ゴルフクラブシャフトの固定は、例えば、万力による固定、ドリルチャックによる固定、あるいは、空気圧により挟み込む固定等が挙げられ、ゴルフクラブシャフトの固定方法について本発明では特に限定されない。
【００２６】
なお、ゴルフクラブシャフト１２の先端部とは、ゴルフクラブヘッドを装着する端部であり、後端部とはグリップ又はグリップ部を設ける端部である。一般のゴルフクラブシャフト１２においては、グリップ１４を装着する後端部の方がゴルフクラブヘッド１６を装着する先端部よりもシャフトの直径が大きいが、ゴルフクラブヘッドを装着する先端部の方がグリップを装着する後端部よりもシャフトの直径が大きいゴルフクラブであってもよい。
また、ゴルフクラブによってはゴルフクラブシャフト１２の一部がグリップ部となっているゴルフクラブもある。この場合は、グリップ部となる端部を後端部、ゴルフクラブヘッドを装着する端部を先端部とする。
【００２７】
このような計測システム２０では、ゴルフクラブシャフト１２が片持ち梁になって、ゴルフクラブシャフト１２の自由端となって振動する部分の加速度が計測され、チャージアンプ２８を介してＦＦＴアナライザ３０で周波数分析が行われ、周波数分析結果がコンピュータ３２に取り込まれることで、１次、２次、３次、・・・等の各次数の共振周波数が求められる。
なお、ゴルフクラブシャフト１２の振動の計測では、自由端側を変位させた後自由減衰させた状態で行なわれ、加速度ピックアップ２６で得られる加速度信号の時間波形からスペクトル波形が生成され、このスペクトル波形から各次数の共振周波数が求められるが、本発明においては、自由端のインパクト加振が行なわれ伝達関数が計測されることによって共振周波数が求められてもよい。
【００２８】
図７（ａ）は、計測システム２０において、ゴルフクラブシャフトの後端部を固定端として２回計測した時のスペクトル波形（実線、破線）の一例を示している。１次共振周波数Ｆｂ１は、２回の計測共に２３．０Ｈｚであり、２次共振周波数Ｆｂ２は２回の計測共に１１７．２５Ｈｚである。
図７（ｂ）は、上記計測システム２０において、ゴルフクラブシャフトの先端部を固定端として２回計測した時のスペクトル波形を示している。１次共振周波数Ｆｔ１は、２回の計測共に１７．０Ｈｚであり、２次共振周波数Ｆｔ２は１２８．７５Ｈｚ、１２８．５Ｈｚである。複数回共振周波数が計測され、異なる値を示す場合、平均値によって代表する。
このように、繰り返し精度の高い、小数点２桁までの共振周波数を得ることができる。
また、ゴルフクラブシャフト１２の後端部を固定端とした時の各次の共振周波数は、ゴルフクラブシャフト１２の先端部を固定端とした時の各次の共振周波数と異なっているが、これは後述するように、ゴルフクラブシャフト１２に長手方向の剛性分布があるためである。
【００２９】
計測システム２０で測定されて求められた各次数の共振周波数は、さらに、コンピュータ３２において、ゴルフクラブシャフト１２の後端部を固定した時の１共振周波数Ｆｂ１と先端部を固定した時の１次の共振周波数Ｆｔ１との比率が求められる。あるいは、後端部を固定端とし、先端部を自由端としてゴルフクラブシャフト１２を振動させた際の１次共振周波数Ｆｂ１と２次共振周波数Ｆｂ２との比率が求められる。
図７（ａ），（ｂ）に示す例では、１次共振周波数Ｆｂ１，Ｆｔ１の比率（Ｆｂ１／Ｆｔ１）は１．３５（＝２３．０／１７．０）であり、本発明の比率（Ｆｂ１／Ｆｔ１）の範囲（１．９以上）から外れ、１次共振周波数Ｆｂ１と２次共振周波数Ｆｂ２との比率（Ｆｂ２／Ｆｂ１）は５．１０（＝１１７．２５／２３．０）であり、本発明の比率（Ｆｂ２／Ｆｂ１）の範囲（４．７以下）から外れている。
【００３０】
計測システム２０では、１次共振周波数Ｆｂ１と１次共振周波数Ｆｔ１との比率（Ｆｂ１／Ｆｔ１）を求めるが、この比率（Ｆｂ１／Ｆｔ１）は、ゴルフボールのインパクト時のゴルフクラブのフェース面の向きを示し、ゴルフクラブシャフトが呈する打球の高さの指標となるものである。すなわち、この１次共振周波数の比率は、ゴルフクラブシャフトの長手方向における多様な剛性分布の変化のために、後端部のみを固定して測定していた従来の光電管による振動数の測定方法ではゴルフクラブシャフトが呈する打球の高さを評価できなかった問題を解決するものである。
【００３１】
ここで、ゴルフクラブシャフトが呈する打球の高さとは、ゴルフクラブシャフトによる打球の上がりやすさを示すもので、同じゴルフクラブヘッドを装着した場合、より打球が上がりやすいものほど呈する打球の高さが高いと表現される。また、ゴルフクラブシャフトによる打球の上がりやすさを、ゴルフクラブシャフト又はゴルフクラブのキックポイント、ベンドポイント等の言葉を用いて当業者が言い表す場合もあり、上記１次共振周波数の比率の指標を、ゴルフクラブシャフト又はゴルフクラブのキックポイント、ベンドポイント等と称することも、本発明に包含される。
【００３２】
１次共振周波数の比率とゴルフクラブシャフトが呈する打球の高さとの関係を、図８（ａ）〜（ｃ）に示す例で説明すると、同じ長さ、同じ質量、同じ形状を持ち同じ硬さを有する３種類のゴルフクラブシャフトＸ、Ｙ、Ｚがあり、それぞれ後端部を固定して振動させたとき、ゴルフクラブシャフトＸは図８（ａ）に示すように後端部近傍から変位する振動の形態、ゴルフクラブシャフトＹは図８（ｂ）に示すように、後端部と先端部の中間部分から先端部にかけて変位する振動の形態、ゴルフクラブシャフトＺは図８（ｃ）に示すように、先端部近傍で変位する振動の形態を示すものする。
【００３３】
これらのゴルフクラブシャフトＸ、Ｙ、Ｚについて、後端部を固定して１次共振周波数を測定し、得られた１次共振周波数の数値を、ゴルフクラブシャフトＸ、Ｙ、Ｚの順にｘ１、ｙ１、ｚ１とすると、ｘ１＜ｙ１＜ｚ１となる。これは片持ち梁の共振周波数では、剛性の低い部分が自由端側にあるものほど１次共振周波数の数値が高くなるといった一般的な事実によるものである。
次に、これらのゴルフクラブシャフトＸ、Ｙ、Ｚの先端部を固定して１次共振周波数を測定する。得られた１次共振周波数の数値を、ゴルフクラブシャフトＸ、Ｙ、Ｚの順にｘ２、ｙ２、ｚ２とすると、後端部を固定した場合と異なって、ｘ２＞ｙ２＞ｚ２になる。
これらの１次共振周波数について比率（ｘ１／ｘ２）、（ｙ１／ｙ２）、（ｚ１／ｚ２）を求めると、（ｘ１／ｘ２）＜（ｙ１／ｙ２）＜（ｚ１／ｚ２）となる。
【００３４】
このゴルフクラブシャフトＸ、Ｙ、Ｚの先端部に同一のゴルフクラブヘッド、後端部に同一のグリップを装着して、それぞれゴルフクラブＣｘ  、Ｃｙ  、Ｃｚ  を作製した場合、これらのゴルフクラブを同じヘッドスピードでスウィングした時のゴルフボールのインパクト時点付近におけるゴルフクラブシャフトの撓みによるフェース面の向きは、ゴルフクラブＣｘ  では、図９（ａ）のように、ゴルフクラブシャフトの軸線に対して角度θａ  となる。ゴルフクラブＣｙ  では、図９（ｂ）のようにゴルフクラブＣｘ  に比べてフェース面はやや傾き、ゴルフクラブシャフトの軸線に対して角度θｂ  （＞角度θａ  ）となる。ゴルフクラブＣｚ  では、図９（ｃ）のようにフェース面は大きく傾いて、ゴルフクラブシャフトの軸線に対して角度θｃ  （＞角度θｂ  ）となる。
【００３５】
ゴルフクラブは、一般に、ゴルフクラブヘッドの重心がゴルフクラブシャフトの軸線上にないこと及びゴルフクラブシャフトが撓むことにより、ゴルファのゴルフスウィング中の遠心力により、ゴルフクラブヘッドの重心がスウィング軌道の外側へ伸びようとする力が働いて、ゴルフクラブシャフトが撓み、ロフト角度が変化する現象が起こる。
【００３６】
より詳しくは、図９（ａ）〜（ｃ）に示すように、スウィング中の遠心力により重心Ｇが矢印Ｆに示すスウィング軌道の外側へ動こうとする力が働き、ゴルフクラブシャフト１２が撓み、ロフト角度が変化してそれぞれ角度θａ  、θｂ  、θｃ  となる。角度θａ  〜θｃ  は、一般的に、動的ロフト角度、又はインパクトロフト角度と言われているもので、以降、動的ロフト角度とする。また、通常のゴルフクラブは、打球の飛ぶ方向を前方とすると、重心Ｇが後方に存在するため、動的ロフト角度は、ロフト角度、つまり、ゴルフクラブシャフトが撓まない状態のロフト角度よりも大きくなる。
【００３７】
ゴルフクラブＣｘ  、Ｃｙ  、Ｃｚ  では、同じゴルフクラブヘッドを用いているため、ロフト角度が同一であるにもかかわらず動的ロフト角度が、図９（ａ）〜（ｃ）に示すように、角度θａ  ＜角度θｂ  ＜角度θｃ  となる。これはゴルフクラブシャフトの剛性分布の違いによるものである。
一方、このゴルフクラブシャフトの剛性分布の違いは、ゴルフクラブシャフトの後端部を固定端として、図８（ａ）に示すような振動形態の１次共振周波数をＦｂ１と、後端部を自由端として、図８（ｃ）に示すような自由端先端部分だけが振動する振動形態の１次共振周波数をＦｔ１との比率によって表すことができる。
【００３８】
例えば、比率の例として、後端部を固定して得られた１次共振周波数Ｆｂ１と、先端部を固定して得られた１次共振周波数Ｆｔ１との比率を（Ｆｂ１／Ｆｔ１）とすると、後端部側に剛性の低い部分を持つゴルフクラブシャフトＸの比率（Ｆｂ１／Ｆｔ１）は、先端部側に剛性の低い部分を持つゴルフクラブシャフトＺの比率（Ｆｂ１／Ｆｔ１）に比べて小さくなる。
【００３９】
このように、ゴルフクラブシャフトの剛性分布を比率（Ｆｂ１／Ｆｔ１）で表すことができることから、ゴルフクラブシャフトの剛性分布の違いによって表される動的ロフト角度の変化、すなわち、ゴルフクラブシャフトの呈する打球の高さを、ゴルフクラブシャフトの剛性分布を比率（Ｆｂ１／Ｆｔ１）によって表すことができる。
比率（Ｆｂ１／Ｆｔ１）の値が大きいほど動的ロフト角度が大きく変化する、つまりゴルフクラブシャフトの呈する打球の高さが高いと評価される。
【００４０】
本発明者らは、後端部側に剛性の低い部分を持ち、打球の上がりにくいゴルフクラブシャフトでは、後端部を固定して測定した１次共振周波数の数値が低く、先端部を固定して測定した１次共振周波数の数値が高くなることを鋭意検討の結果見出し、これより、上記メカニズムを見出し、後端部を固定して測定した１次共振周波数Ｆｂ１と、先端部を固定して測定した１次共振周波数Ｆｔ１の比率を、ゴルフクラブシャフトが呈する打球の高さを定量的に表す指標とすることに想到し、この比率（Ｆｂ１／Ｆｔ１）を、ゴルフボールを遠くに飛ばすことを目的とするゴルフクラブ１０のゴルフクラブシャフトの単体特性として、１．９以上と規定したものである。
このようなゴルフクラブシャフトの単体特性である比率（Ｆｂ１／Ｆｔ１）を１．９以上とし、かつ、ゴルフクラブヘッドにおけるフェース面の比率（Ｈ／Ｌ）を０．５〜１．２とすることで、後述するように、相乗効果により飛距離が極めて増大することを見出している。
【００４１】
また、計測システム２０では、上述したように、ゴルフクラブシャフト１２の後端部を固定端とした際の１次共振周波数Ｆｂ１と２次共振周波数Ｆｂ２との比率（Ｆｂ２／Ｆｂ１）が求められる。
この比率（Ｆｂ２／Ｆｂ１）は、上記１次共振周波数Ｆｂ１とＦｔ１との比率（Ｆｂ１／Ｆｔ１）と同様に、ゴルフボールのインパクト時のゴルフクラブのフェース面の向きを示し、ゴルフクラブシャフトが呈する打球の高さの指標となるものである。すなわち、この１次共振周波数の比率（Ｆｂ２／Ｆｂ１）は、ゴルフクラブシャフトの長手方向における多様な剛性分布の変化のために、後端部のみを固定して測定していた従来の光電管による振動数の測定方法ではゴルフクラブシャフトが呈する打球の高さを評価できなかった問題を解決するものである。
【００４２】
すなわち、本発明者らは、ゴルフクラブシャフトの長手方向における剛性分布の変化によって１次共振周波数と２次共振周波数の比率が変化すること、より詳しくは、剛性の低い部分を先端部側に持ち打球が上がりやすいゴルフクラブシャフトでは比率（Ｆｂ２／Ｆｂ１）の値が小さく、剛性の低い部分を後端部側に持ち打球が上がりにくいゴルフクラブシャフトでは比率（Ｆｂ２／Ｆｂ１）の値が大きくなることを鋭意検討の結果見出し、この１次共振周波数と２次共振周波数の比率（Ｆｂ２／Ｆｂ１）によって、ゴルフクラブシャフトが呈する打球の高さを定量的に表すことに想到し、この比率（Ｆｂ２／Ｆｂ１）を、ゴルフボールを遠くに飛ばすことを目的とするゴルフクラブヘッド１６のゴルフクラブシャフトの単体特性として、４．７以下と規定したものである。
このようなゴルフクラブシャフトの単体特性である比率（Ｆｂ２／Ｆｂ１）を４．７以下とし、かつ、ゴルフクラブヘッドにおけるフェース面の比率（Ｈ／Ｌ）を０．５〜１．２とすることで、後述するように、相乗効果により、飛距離が極めて増大することを見出している。
【００４３】
【実施例】
以下、本発明のゴルフクラブによる効果について調べた。
ゴルフクラブは、種々作製したゴルフクラブシャフトとゴルフクラブヘッドとを種々組み合わせて１４本のゴルフクラブ（実施例１〜９、比較例１〜５）を作製し、スイングロボットを用いてこれらのゴルフクラブの試打を行った。
なお、１４本のゴルフクラブにおけるゴルフクラブシャフトの固定長さを後端部および先端部ともに１７８ｍｍとして、図５に示す計測方法で１次、２次共振周波数を計測して、比率（Ｆｂ１／Ｆｔ１）および比率（Ｆｂ２／Ｆｂ１）を求めた。
【００４４】
１４本のゴルフクラブは、ゴルフクラブシャフトにいずれも炭素繊維強化樹脂材料を用いた４４インチのシャフトを用い、ゴルフクラブヘッドはいずれもチタン合金（６Ａｌ−４Ｖチタン合金）材料を用いたヘッド体積が３００ｃｃの中空ゴルフクラブヘッドで、ロフト角度を１０度とし、ゴルフクラブのスウィングウェイトバランス（１４ｉｎｃｈ計）をＤ１とした。
【００４５】
作製したゴルフクラブによる試打は、株式会社ミヤマエ製ショットロボ４を用い、横浜ゴム株式会社製Ｈ／Ｓボールを１０球ずつ打球して、飛距離を計測した。ゴルフボール１０球のうち、２球は、図１０に示すように、フェース面の中心位置Ｐ１  で、残り８球は、この中心位置Ｐ１  に対して１０ｍｍフェース面に沿って上下方向に移動した位置Ｐ２  ，Ｐ３  、および中心位置から左右方向（ヒール側−トウ方向）に１５ｍｍフェース面に沿って移動した位置Ｐ４  ，Ｐ５  、および中心位置Ｐ１  から上下方向に１０ｍｍ移動し、左右方向に１５ｍｍ移動した位置Ｐ６  〜Ｐ９  のそれぞれで１球ずつ打球し、これら１０球の平均飛距離を求めた。
得られた平均飛距離は、フェース面の比率（Ｈ／Ｌ）が０．４５、１次共振周波数の比率（Ｆｂ１／Ｆｔ１）が２．３０、１次共振周波数と２次共振周波数との比率（Ｆｂ２／Ｆｂ１）が３．９０で、本発明のゴルフクラブに該当しない比較例１のゴルフクラブの平均飛距離を基準（指数１００）にして、各実施例、各比較例の平均飛距離の指数を求めた。なお、この指数が大きいほど平均飛距離が向上することを表す。
結果を下記表１に示す。
【００４６】
【表１】
2004261443.tif 000003
【００４７】
表１によると、フェース面の比率（Ｈ／Ｌ）が０．５〜１．２の範囲にあるが、比率（Ｆｂ１／Ｆｔ１）が１．９未満および比率（Ｆｂ２／Ｆｂ１）が４．７より大きい比較例３，４は、フェース面の比率（Ｈ／Ｌ）が０．５未満の比較例１に比べて平均飛距離の指数が１０２〜１０３であり、フェース面の比率（Ｈ／Ｌ）による効果は、平均飛距離において２〜３％である。
一方、比率（Ｆｂ１／Ｆｔ１）が１．９以上および比率（Ｆｂ２／Ｆｂ１）が４．７以下であるが、フェース面の比率（Ｈ／Ｌ）が０．５未満あるいは１．２より大きい比較例２，５では平均飛距離の指数が１０５，１０８であり、ゴルフクラブシャフトの単体特性である比率（Ｆｂ１／Ｆｔ１）および比率（Ｆｂ２／Ｆｂ１）の効果は、平均飛距離において５〜８％である。
【００４８】
これに対して、フェース面の比率（Ｈ／Ｌ）が０．５〜１．２の範囲にあり、比率（Ｆｂ１／Ｆｔ１）が１．９以上および比率（Ｆｂ２／Ｆｂ１）が４．７以下にある実施例１〜９では、最も効果の小さい実施例１でも平均飛距離の指数が１１６であり、平均飛距離において１６％の効果があった。すなわち、実施例１〜９では少なくとも１６％以上の効果があり、この効果は、フェース面における比率（Ｈ／Ｌ）の効果およびゴルフクラブシャフトの単体特性である比率（Ｆｂ１／Ｆｔ１）および比率（Ｆｂ２／Ｆｂ１）の効果からは、予期することのできない大きな相乗効果が得られることがわかった。
特に、比率（Ｆｂ１／Ｆｔ１）を２．０〜２．８の範囲にすることで、あるいは、比率（Ｆｂ２／Ｆｂ１）を２．９〜４．５５の範囲にすることで、実施例４，５に示すように、２０％以上の効果を示す極めて顕著な効果が得られることがわかった。
【００４９】
この結果は、以下のように考えることができる。
すなわち、比率（Ｆｂ１／Ｆｔ１）、比率（Ｆｂ２／Ｆｂ１）は、上述したように、いずれもゴルフクラブシャフトの呈する打球の弾道の高さを指標として正確に示すもので、比率（Ｆｂ１／Ｆｔ１）の値が高いゴルフクラブシャフト、あるいは、比率（Ｆｂ２／Ｆｂ１）の値が低いゴルフクラブシャフトによって構成されたゴルフクラブは打球の弾道がより高くなる。すなわち、比率（Ｆｂ１／Ｆｔ１）を１．９以上、あるいは、比率（Ｆｂ２／Ｆｂ１）を４．７以下の単体特性を有するゴルフクラブシャフトをゴルフクラブヘッドに装着した場合、ゴルフボールの打球の弾道を高くする。このようなゴルフクラブシャフトに、フェース面における比率（Ｈ／Ｌ）が０．５未満のゴルフクラブヘッドを装着すると、打球の弾道は極めて高くなっていわゆる「上がりすぎ」の状態となり、飛距離は期待する程に向上しない。
【００５０】
一方、フェース面における比率（Ｈ／Ｌ）が０．５〜１．２の範囲にあるゴルフクラブヘッドは、比率（Ｈ／Ｌ）が０．５未満のゴルフクラブヘッドに比べて良好な反発特性が得られ（ゴルフボールの大きな初速度が得られ）、しかも、ゴルフボールのバックスピン量は比較的少ない。すなわち、上述した特許文献１〜４ではゴルフボールの大きな初速度および少ないバックスピン量で飛距離が向上したものと考えられる。
なお、一般に、ゴルフボールの初速度およびバックスピン量は、ゴルフボールの打ち出し角度とともにゴルフボールの飛距離の長短を略決定づける３大要素である。この３大要素が適切に調整されない限り、ゴルフボールの飛距離は効果的に向上しない。
【００５１】
これに対して、実施例１〜９では、ゴルフボールの弾道の高さを高くする、すなわち、上記３大要素のうちゴルフボールの打ち出し角度を適切に調整するので、比率（Ｆｂ１／Ｆｔ１）を１．９以上、あるいは、比率（Ｆｂ２／Ｆｂ１）を４．７以下の単体特性を有するゴルフクラブシャフトを、フェース面の比率（Ｈ／Ｌ）が０．５〜１．２の範囲にあるゴルフクラブヘッドに適用することで、上記３大要素がいずれも飛距離の増大方向に寄与し、すなわち、ゴルフボールの初速度を増大し、バックスピン量を低下させ、かつ、打ち出し角度を高くして、著しい飛距離の増大が実現したものと考えられる。特に、フェース面の比率（Ｈ／Ｌ）を０．５以上とするバックスピン量の少ない状態では、打ち出し角度による飛距離の依存性が顕著である。
【００５２】
このように、比較的バックスピン量の少ないフェース面の比率（Ｈ／Ｌ）が０．５〜１．２の範囲にあるゴルフクラブヘッドに、このゴルフクラブヘッドにおいて顕著に飛距離の長短が依存する打ち出し角度を適切に設定することで、飛距離は著しく増大する。本発明は、フェース面の比率（Ｈ／Ｌ）が０．５〜１．２の範囲にあるゴルフクラブヘッドにゴルフクラブシャフトを装着する際、ゴルフボールの打ち出し角度を適切にするために、ゴルフクラブシャフトの単体特性である比率（Ｆｂ１／Ｆｔ１）を１．９以上、あるいは、比率（Ｆｂ２／Ｆｂ１）を４．７以下とするゴルフクラブシャフトを用いるものである。
【００５３】
以上、本発明のゴルフクラブについて詳細に説明したが、本発明は上記実施例に限定はされず、本発明の要旨を逸脱しない範囲において、各種の改良および変更を行ってもよいのはもちろんである。
【００５４】
【発明の効果】
以上、詳細に説明したように、本発明は、ゴルフクラブヘッドのフェース幅Ｌに対するフェース高さＨの比率（Ｈ／Ｌ）を０．５〜１．２の範囲とし、ゴルフクラブシャフトの１次共振周波数の比率（Ｆｂ１／Ｆｔ１）を１．９以上、あるいは、１次共振周波数と２次共振周波数との比率（Ｆｂ２／Ｆｂ１）を４．７以下とするので、ゴルフボールの飛距離の長短を略決定づけるゴルフボールの初期速度、バックスピン量および打ち出し角度が適切に調整されて、従来のゴルフクラブヘッドを備えるゴルフクラブに比べて確実に飛距離を向上させることができる。
【図面の簡単な説明】
【図１】本発明のゴルフクラブの一例であるウッド系のゴルフクラブの概略正面図である。
【図２】図１に示すゴルフクラブのフェース高さＨおよびフェース幅Ｌを説明する図である。
【図３】図１に示すゴルフクラブの距離Ｌ’，Ｈ’を説明する図である。
【図４】（ａ）および（ｂ）は、ゴルフクラブヘッドを主要部とした表したゴルフクラブの平面図である。
【図５】ゴルフクラブシャフトの共振周波数を計測し、本発明における共振周波数の比率を求める計測システムの一例の説明図である。
【図６】（ａ）および（ｂ）はゴルフクラブシャフトの固定方法を説明する図である。
【図７】（ａ）および（ｂ）は、図５で示す計測システムで得られる周波数特性の一例を示す図である。
【図８】（ａ）〜（ｃ）は、ゴルフクラブシャフトの振動の形態を説明する図である。
【図９】（ａ）〜（ｃ）は、スウィング時のゴルフクラブのロフト角度の変化を説明する図である。
【図１０】実施例において行われたゴルフボール打撃時のフェース面上の打撃位置を示す図である。
【符号の説明】
１０  ゴルフクラブ
１２  ゴルフクラブシャフト
１４  グリップ
１６  ゴルフクラブヘッド
１８  フェース面
２０  計測システム
２４  固定治具
２４ａ  チャック部
２６  加速度ピックアップ
２８  チャージアンプ
３０  ＦＦＴアナライザ
３２  コンピュータ
３４  端面
３６  ゴルフクラブシャフト軸
【図１】
2004261443.tif 000004
【図２】
2004261443.tif 000005
【図３】
2004261443.tif 000006
【図４】
2004261443.tif 000007
【図５】
2004261443.tif 000008
【図６】
2004261443.tif 000009
【図７】
2004261443.tif 000010
【図８】
2004261443.tif 000011
【図９】
2004261443.tif 000012
【図１０】
2004261443.tif 000013